(57)【要約】【課題】車椅子使用者が心身共に快適に安心して居住できる環境を実現することができる住宅を提供する。【構成】車椅子使用者１５が外部から住宅１内に入る場合には、玄関ポーチ２−１から玄関土間２−２に入り、出入り口１０−３の引き戸を開いて、蔵型収納室１０内側のスロープ１０−５を通過し、出入り口１０−４から引き戸を開いて玄関２のホール２−３における上り框２−４近傍に至ることができる。その過程では、スロープ１０−５には１／１５の昇り勾配はあるものの特に通行の障害となる段差はなく、車椅子使用者１５は車椅子１６に着座したまま特に困難無く住宅１内に入ることができる。【選択図】図１
2008050872.tif 000002
【特許請求の範囲】
【請求項１】
玄関の玄関土間と段差のある第１の床に玄関と隣接して収納区画が設けられ、その収納区画には玄関土間への出入り口と第１の床への出入り口が設けられ、その収納区画内側には前記各出入り口を連絡するスロープが設けられることを特徴とする住宅。
【請求項２】
前記第１の床上に、第１の床より半階高い第２の床が設けられ、前記収納区画はその第２の床下に設けられる請求項１記載の住宅。
【請求項３】
前記第１の床への出入り口が玄関の上り框近傍への出入り口又は収納区画に沿って配置される廊下への出入り口である請求項１記載の住宅。
【請求項４】
前記出入り口には引き戸が設けられる請求項１記載の住宅。
【請求項５】
前記スロープが円弧状部分を有し、その円弧状部分は内周側縁の半径ｒが１ｍ以上となる様に形成されてなる請求項１記載の住宅。
【請求項６】
前記スロープに沿ってガイドレールが設けられる請求項１記載の住宅。
【請求項７】
前記スロープに沿って手すりが設けられる請求項１記載の住宅。
【請求項８】
前記スロープに沿って収納棚が配置されてなる請求項１記載の住宅。
【請求項９】
前記収納棚の端部に手すりが設けられる請求項８記載の住宅。
【発明の詳細な説明】
【技術分野】
【０００１】
本発明は、１階の床と、この１階の床の一部の上に設けられた中間床との間が収納空間とされた住宅に関し、特に居住空間内外において車椅子の使用が必要である車椅子使用者が居住するために収納空間の構造に配慮した住宅に関する。
【背景技術】
【０００２】
近年における生活の質の向上や多様化に対応し、建物の内部に大型収納空間を設けるとともに、この収納空間と同じ床レベルの居室を隣接して設け、さらに、当該居室に収納空間への出入り口を設けた建物は、上階の床と下階の床との間のスキップ床の床レベルに収納空間を設けてなるため、上階の荷物と下階の荷物のいずれを収納空間へ出し入れする場合にも便利であるという利点を備える。
【０００３】
本出願人はこの様な建物に関して特許文献１で、天井高が低く比較的大きな収納空間を玄関の脇に設けることで面積に制約のある一般住宅における空間の有効利用を図り、限られた住宅空間を有効に活用しつつ使い勝手の良い収納を実現するという提案を行った。
【０００４】
一方、本格的長寿社会を迎え、高齢者に限らず、保護されるべき被介護者は歩行の困難を補うために車椅子の使用が不可避である場合がしばしばであり、したがって係る被介護者の暮らす住宅は、床の段差を可能な限り小さくすることによって、車椅子の使用を安全かつ容易にする必要がある。
【０００５】
このような要請に向けて本出願人は特許文献２において玄関領域の高低差や段差を可能な限り小さくし、具体的には建物の一階に設けられる玄関の沓みずりと、玄関外側の段差及び沓みずりと玄関土間の段差が具体的に検討され、車椅子での通過も比較的容易にされた住宅を提案した。
【０００６】
【特許文献１】特開２００６−１６８４９
【特許文献２】特開２００２−３０９７８４
【発明の開示】
【発明が解決しようとする課題】
【０００７】
特許文献１で提案された住宅では収納すべき物品の用途に合わせた収納をすることで面積に制約のある一般住宅における空間の有効利用が可能にはあなったものの、特定の空間が単に物を収納するために利用されるだけであって、さらなる効率的な活用を図る必要があった。
【０００８】
一方、特許文献２で提案された住宅にあっては、玄関で靴を脱ぐために腰を下ろす上り框と玄関土間との段差を車椅子で楽に登ることができる様にするためには勾配の緩いスロープを設置する必要があり、係るスロープを設置するための専用スペースを玄関領域に設けることは面積に制約のある一般住宅では容易ではなかった。
【０００９】
したがって本発明は以上の従来技術における問題点に鑑み、面積に制約のある一般住宅における空間のさらなる有効利用を図って、車椅子使用者が心身共に快適に安心して居住できる環境を実現することができる住宅を提供することを目的とする。
【課題を解決するための手段】
【００１０】
すなわち本発明の住宅は、玄関土間と段差のある第１の床に玄関と隣接して収納区画が設けられ、その収納区画には玄関土間への出入り口と第１の床への出入り口が設けられ、その収納区画内側には前記各出入り口を連絡するスロープが設けられることを特徴とする。
【００１１】
前記第１の床上に、第１の床より半階高い第２の床が設けられ、前記収納区画はその第２の床下に設けられる様にすることができる。
【００１２】
前記第１の床への出入り口は、玄関の上り框近傍への出入り口又は収納区画に沿って配置される廊下への出入り口とすることができ、この出入り口には引き戸が設けられる様にすることができる。
【００１３】
前記スロープが円弧状部分を有し、その円弧状部分は内周側縁の半径ｒが１ｍ以上に形成されてなる様にすることができ、しかもこのスロープに沿ってガイドレールや手すりを設ける様にすることができる。
【００１４】
また前記スロープに沿って収納棚を配置し、その収納棚の端部に手すりを設ける様にしても良い。
【発明の効果】
【００１５】
本発明の住宅によれば、収納区画に玄関土間への出入り口と第１の床への出入り口を設け、その各出入り口間にスロープが設けられ、このスロープを利用することによって車椅子使用者は容易に上り框と玄関土間との間を安全に上下して玄関からの出入りを行うことができ、一般住宅で空間を有効に活用して車椅子使用者が快適な生活を送ることができる居住環境を実現することができる。
【発明を実施するための最良の形態】
【００１６】
［第一の実施の形態］
以下に本発明の住宅を実施するための最良の形態につき図面を参照して説明する。
図１は本発明の第一の実施の形態に係る住宅１の平面図である。
本実施の形態の住宅１にあっては基本生活空間、すなわち車椅子使用者の日常生活を最低限確保するために必要な「就寝」「排泄」「洗面」「脱衣・入浴」「昼間の活動・食事」および住宅１からの出入りに供する空間を構成する要素としての玄関２、便所３、洗面脱衣室４、浴室５、居間・食事室６及び車椅子使用者の寝室７、廊下８が第１の床９において相互に近接して配置される。
【００１７】
また住宅１にあっては玄関２のある第１の床９の床上であって玄関２及び居間・食事室６に隣り合う位置には収納区画である蔵型収納室１０が設けられる。この蔵型収納室１０の出入口１０−１は居間・食事室６に面して設けられる。
この蔵型収納室１０を設けることによって充分な収納面積を確保することができ、広びろとした快適な居住空間が同時に車椅子使用者にとっても安全な移動および生活動作が可能な居住空間となる。
【００１８】
図２は図１に示す住宅１の第１の床９と第２の床１１と第３の床１２の平面図である。
居間・食事室６に隣り合う蔵型収納室１０の床より半階高い位置には第２の床１１及び第２の床１１上の居室１１−１が設けられ、居間・食事室６には、第２の床１１に上がる階段１３が設けられる。
さらにこの第２の床１１よりも半階上がった位置であって、玄関２上に位置する第３の床１２には居室１２−１が設けられる。また第２の床１１には、第１の床９から第２の床１１に至る階段１３に連なり、かつ第１の床９の玄関２上に位置する第３の床１２への階段１４に連なる廊下１１−３が設けられる。
【００１９】
以上の様に第２の床１１の高さが第１の床９の蔵型収納室１０の床より半階高くされている結果、平均的な身長の大人が車椅子に座った状態で蔵型収納室１０内を自由に移動して車椅子に乗ったまま収納庫内の物品を容易に取り出すことができ、物品の搬入や搬出に不自由はない。一方、第２の床１１に至るための階段１３の上り下りも健常者には特に負担となるものではない。
ここで半階とは、平均的な身長の大人が車椅子に座った状態で蔵型収納室１０内を自由に移動することができる高さであって、１，４００ｍｍ以下の高さを標準とする。
この様に蔵型収納室１０の天井高は車椅子に乗ったまま手が届く様に低く抑えられている。
【００２０】
図３は図１に示す住宅１の部分拡大平面図である。図４は同じく部分拡大斜視図である。図５は図３Ａ−Ａ断面図である。
住宅１からの出入りに供する空間を構成して、蔵型収納室１０に隣接される玄関２は、玄関ポーチ２−１と玄関土間２−２と玄関ホール２−３とを有して構成され、玄関土間２−２とホール２−３との境界領域に上り框２−４を具える。また玄関ポーチ２−１と玄関土間２−２との間にはドア２−５が配置される。
玄関２の玄関ポーチ２−１と玄関土間２−２とに生じる段差は、可能な限り平らにされ、くつずり、すなわちドア２−５の下枠と玄関ポーチ２−１との高低差は２ｃｍ以下、くつずりと玄関土間２−２の高低差は５ｍｍ以下とされている。この様に段差をくつずりのみにとどめても、玄関ポーチ２−１を設け、さらに深い庇（図示せず）を設置することによって、雨が直接ドア２−５や玄関ポーチ２−１に当たらないようにすることによって防水性能を確保することができる。
【００２１】
玄関２はベンチ（図示せず）が設置できる空間とされ、上り框２−４及び式台は、段差が分かりやすいよう、材質若しくは色によって変化がつけられている。
【００２２】
この玄関２と蔵型収納室１０とは共通の境界壁１０−２を備え、玄関２と隣接して蔵型収納室１０が設けられる。この様に外部との出入り口である玄関２に隣接して内部が収納用の空間部である蔵型収納室１０が配置されることによって、蔵型収納室１０自体の断熱性能によって、住宅１の他の居住空間は良好な恒温性能を備える。
【００２３】
この蔵型収納室１０は第１の床９と同一の高さの床面１０ａと玄関土間２−２と同一の高さの床面１０ｂとを備える。
また、境界壁１０−２には床面１０ｂと玄関土間２−２とを連通する出入り口１０−３と床面１０ａと第１の床９とを連通する出入り口１０−４が設けられ、蔵型収納室１０内側には、出入り口１０−３と出入り口１０−４とを結び、床面１０ａと床面１０ｂとを緩やかな傾斜で連絡するスロープ１０−５が設けられる。
【００２４】
スロープ１０−５には玄関土間２−２への出入り口１０−３から第１の床９への出入り口１０−４に向かって１／１５の昇り勾配であって、これはすなわち出入り口１０−４から出入り口１０−３に向かって３ｍ間で２０ｃｍ低くなる下り勾配が形成される。
スロープ１０−５は円弧状部分１０−５ａを有し、その円弧状部分１０−５ａは内周の半径ｒが１ｍ以上となるように形成されてなる。この円弧状部分１０−５ａは出入り口１０−３と出入り口１０−４との中間領域に設けられる。
【００２５】
蔵型収納室１０内における収納棚１０−６はスロープ１０−５の態様及び位置との関係で、基本的にはスロープ１０−５に沿って収納棚１０−６が配置され、かつ収納棚１０−６のスロープ１０−５側の端部に沿って手すり１０−７が設けられる。この手すり１０−７は図に示される様に収納棚１０−６の上面に設けることができ、また図上破線で示す手すり１０−７ａの様に、収納棚１０−６の側端面からスロープ１０−５側に張り出す態様で設けることもできる。さらに図上手すり１０−７ｂとして示す様にスロープ１０−５側縁部分に立設する態様で張り渡すこともできる。
なお、このスロープ１０−５に沿ってガイドレール（図示せず）を設ける様にすることができる。
【００２６】
蔵型収納室１０から玄関土間２−２への出入り口１０−３及び第１の床９への出入り口１０−４は境界壁１０−２に設けられ、その各々には引き戸が設けられる。
またこの実施の形態では第１の床９への出入り口１０−４は玄関２のホール２−３における上り框２−４近傍と蔵型収納室１０内側とを連通する出入り口とされる。
【００２７】
以上の実施の形態の住宅１によれば、車椅子使用者１５が外部から住宅１内に入る場合には、玄関ポーチ２−１から玄関土間２−２に入り、出入り口１０−３の引き戸を開いて、蔵型収納室１０内側のスロープ１０−５を通過し、出入り口１０−４から引き戸を開いて玄関２のホール２−３における上り框２−４近傍に至ることができる。
その過程では、スロープ１０−５には１／１５の昇り勾配はあるものの特に通行の障害となる段差はなく、車椅子使用者１５は車椅子１６に着座したまま特に困難無く住宅１内に入ることができる。
【００２８】
またスロープ１０−５は円弧状部分１０−５ａを有するものの特に方向転換が困難となる角張ったコーナーは有さず、しかも円弧状部分１０−５ａ自体は出入り口１０−３と出入り口１０−４との中間領域に内周の半径ｒが１ｍ以上となる様に形成されてなるので、車椅子使用者１５はスムーズに円弧状部分１０−５ａを通過することができる。尚、付言すれば、係る円弧状部分１０−５ａはこれが角張ったコーナーとして形成される場合に比し、蔵型収納室１０内側の収納棚１０−６の配置スペースの確保に寄与し、したがって蔵型収納室１０の収納容量増大に寄与する。
【００２９】
さらにスロープ１０−５に沿って収納棚１０−６が配置され、かつ収納棚１０−６のスロープ１０−５側の端部に沿って手すり１０−７が設けられているので、手すり１０−７を伝っていくことでスロープ１０−５の通過を安全に行うことができるだけでなく、その過程で収納棚に収納してある物を簡便に取得し、若しくは外出に際して携行した物具を簡便に収納することができる。さらに、このスロープ１０−５に沿ってガイドレールが設けられた場合には、スロープ１０−５の通過をより安全に行うことができる。
【００３０】
一方、車椅子使用者１５が住宅１内から外部に出る場合には、玄関２のホール２−３における上り框２−４近傍から引き戸を開いて出入り口１０−４を介して蔵型収納室１０内側のスロープ１０−５を通過し、出入り口１０−３の引き戸を開いて玄関土間２−２に至り玄関ポーチ２−１から外部に出ることができる。
その過程では、スロープ１０−５には特に通行の障害となる段差はなく、１／１５の下り勾配はあるものの特に危険を生じる下り勾配ではなく、むしろ下り勾配を利用して移動できるため体力消費は少なくなり、車椅子使用者１５には便宜である。
【００３１】
また、スロープ１０−５は中間領域に円弧状部分１０−５ａを有するので、車椅子１６の下降移動の速度はこの円弧状部分１０−５ａで強制的に緩和され、その点からも特に危険のない移動が可能となる。
しかも、スロープ１０−５を通過する過程で収納棚１０−６のスロープ１０−５側の端部に沿って設けられた手すり１０−７を伝っていくことで車椅子使用者１５自身が速度を調整してゆっくりと移動することができ、その点からも安全な移動が可能となる。
【００３２】
さらにスロープ１０−５を通過して安全に外出することができるだけでなく、その過程で収納棚に収納してある防寒具や雨具、さらにはゲートボールを行うための用具など外出する際に必要となる物を車椅子に乗ったまま、簡便に取得して外出することが可能となる。さらに、このスロープ１０−５に沿ってガイドレールが設けられた場合には、スロープ１０−５の通過をより安全に行うことができることは言うまでもない。なお、スロープ１０−５の幅員は車椅子１６による円滑な通行を可能とすると共に、収納棚１０−６における充分な収納容量を確保するために８００〜８５０ｍｍとされる。
【００３３】
また、第２の床１１上に設けられた居室１１−１は例えば介護者の寝室として用いることができ、介護者は夜間必要に応じて居間・食事室６に待機することができ、また居室１１−１で休むこともできる。この場合に、一般に充分な体力を備える健常者である介護者自身にとっては、居間・食事室６を介して反対側に便所３があることは何ら不都合はない。居室１１−１が玄関２の近傍に配置される点も、特に不都合を生じる事情はない。
【００３４】
［第二の実施の形態］
図６は本発明の第二の実施の形態の住宅１を示し、本実施の形態の住宅１ではスロープ１０−５が玄関土間２−２への出入り口１０−３と居間・食事室６に面して設けられる出入口１０−１とを連絡する様に設けられる点以外は第一の実施の形態と同様にされている。
したがって本実施の形態の住宅１でも車椅子使用者１５は住宅１内外への出入りを第一の実施の形態と同様に円滑に行うことができる。しかも本実施の形態の住宅１ではスロープ１０−５の円弧状部分１０−５ａの内周の半径ｒが第一の実施の形態の場合よりも大きくされており、その点で車椅子使用者１５にとってはより負担の少ない走行が可能となる。また、玄関ホール２−３を経由せずに居間・食事室６から直接、住宅１からの出入りを行うことができ、その点でも車椅子使用者１５にとって便宜となる。
【図面の簡単な説明】
【００３５】
【図１】本発明の第一の実施の形態に係る住宅の平面図である。
【図２】図１に示す実施の形態に係る住宅の別の平面図である。
【図３】図１に示す実施の形態に係る住宅の部分拡大平面図である。
【図４】図１に示す実施の形態に係る住宅の部分拡大斜視図である。
【図５】図１に示す実施の形態に係る住宅の部分断面図である。
【図６】本発明の第二の実施の形態に係る住宅の平面図である。
【符号の説明】
【００３６】
１・・・住宅、２・・・玄関、２−２・・・玄関土間、２−３・・・玄関ホール、２−４・・・上り框、９・・・第１の床、１１・・・第２の床、１２・・・第３の床、１０・・・蔵型収納室、１０−２・・・境界壁、１０−３，１０−４・・・出入り口、１０−５・・・スロープ、１０−５ａ・・・円弧状部分、１０−６・・・収納棚、１０−７・・・手すり、３・・・便所、４・・・洗面脱衣室、５・・・浴室、６・・・居間・食事室、７・・・車椅子使用者の寝室、８・・・廊下、１５・・・車椅子使用者、１６・・・車椅子。
【図１】
2008050872.tif 000003
【図２】
2008050872.tif 000004
【図３】
2008050872.tif 000005
【図４】
2008050872.tif 000006
【図５】
2008050872.tif 000007
【図６】
2008050872.tif 000008